(57)【要約】【課題】清掃の手間を軽減し、局部洗浄機能も付加して、快適、清潔に使用できる汚物処理機能付き簡易トイレを提供する。【解決手段】椅子本体１の座部に設けた開口部に、暖房便座４と洗浄ノズル６を備えた局部洗浄装置付き便座ユニットＡを装着し、この局部洗浄装置付き便座ユニットＡの暖房便座４の下部に、内部に菌床１６を収容し排泄物と共に菌床１６を撹拌する撹拌槽１１と、この撹拌槽１１に設けられている撹拌用回転軸１４を駆動するモータ１７と撹拌槽１１内に温風を送風する温風ファン１８とを設けた機械部１２とからなる浄化ユニットＢを着脱自在に設けた洗浄機能付き簡易トイレ。菌床１６の菌の働きにより、排泄物や洗浄水は、水蒸気と炭酸ガスに分解され、消滅する。【選択図】  図１
2005324013.tif 000002
【特許請求の範囲】
【請求項１】
座部に開口部を有する椅子本体と、
前記椅子本体の開口部に設置され、便座および局部洗浄装置を有する便座ユニットと、
前記椅子本体の開口部の下部に着脱可能に設けられた浄化ユニットとを備え、
前記浄化ユニットは、
前記便座ユニットの便座の下部に、内部に排泄物および菌床を収容する撹拌槽と、
前記撹拌槽内の菌床を適温に加熱する加熱手段と、
前記撹拌槽に設けられた撹拌用回転軸と、
前記撹拌用回転軸を駆動するモータと
を備えていることを特徴とする洗浄機能付き簡易トイレ。
【請求項２】
前記便座は、暖房便座である請求項１記載の洗浄機能付き簡易トイレ。
【請求項３】
前記椅子本体の座部に設けた開口を覆う座板を着脱自在に設けた請求項１または２に記載の洗浄機能付き簡易トイレ。
【請求項４】
前記加熱手段は、前記撹拌槽内に温風を送風する温風ファンである請求項１から３のいずれかの項に記載の洗浄機能付き簡易トイレ。
【請求項５】
前記加熱手段は、前記撹拌槽の内部に設けられたヒータである請求項１から３のいずれかの項に記載の洗浄機能付き簡易トイレ。
【請求項６】
前記撹拌槽に吸気口と排気口を設けるとともに、前記撹拌槽の外部に設けた循環パイプを前記吸気口と排気口に接続し、前記循環パイプに、ファンおよび消臭器を設けたことを特徴とする請求項５記載の洗浄機能付き簡易トイレ。
【発明の詳細な説明】
【技術分野】
【０００１】
本発明は、汚物処理機能付き簡易トイレに関し、特に、洗浄機能を付加した簡易トイレに関する。
【背景技術】
【０００２】
従来のポータブルトイレや簡易トイレは、使用後、排泄物がトイレ内のタンクに溜まる仕組みである。そのため、使用した際に悪臭が発生したり、不衛生であるため、毎回、排泄物を処理し、タンクを清掃しなければならない。また、簡易トイレでは、給水工事が容易にできないので、水洗式局部洗浄機能を設けることができず、使用者に不快感があり、また不衛生である。
【０００３】
近年では、土壌菌から採取した、好気性の繊維質分解菌、動植物油分解菌、たんぱく質分解菌等の複数の菌から構成された菌を用いて排泄物や臭い成分を水分と炭酸ガスに分解するトイレが色々提案されている。
【０００４】
例えば、特許文献１には、汚物を固形分と水分とに分離処理するトイレにおいて、固形分を処理する分解槽内の菌床を水平方向に直線的に移送して循環させる自己完結型水洗トイレが開示されている。
【０００５】
また、特許文献２には、分解槽、および分解槽に併設してある蒸発槽並びに凝縮槽からなり、分解槽および蒸発槽には加熱装置が設けてあり、分解槽内の水分は蒸発槽に流入するようにしてあり、蒸発槽および分解槽で生成された水蒸気を凝縮槽に導くダクトが設けてある生物分解型トイレが開示されている。
【０００６】
さらに、特許文献３には、椅子要素の下に糞尿分解処理要素を設け、この糞尿分解処理要素に落下した糞尿をおが屑とともに撹拌バネで撹拌して菌により糞尿を分解処理する介護用椅子型トイレが開示されている。
【０００７】
【特許文献１】特開平１１−２９３７３８号公報
【特許文献２】特開２００３−１００７０号公報
【特許文献３】特開２０００−１２９７６１号公報
【発明の開示】
【発明が解決しようとする課題】
【０００８】
しかしながら、特許文献１に開示された自己完結型水洗トイレでは、水洗便器で屎尿を水で流すので、固液分離装置で固形分と液体とを分離し、固形分と液体とのそれぞれの処理が必要で、介護用の可動式トイレには使用できないという問題がある。
【０００９】
特許文献２に開示された生物分解型トイレも、水洗便器を使用し、汚水を処理して洗浄水として循環使用する構造であるので、装置が大掛かりとなり、これもまた、介護用の可動式トイレには使用できないという問題がある。
【００１０】
特許文献３に開示された介護用椅子型トイレでは、局部洗浄装置が設けられていないので、使用者に不快感が残り、また不衛生であるという問題がある。さらに、用便後に使用するトイレットペーパやティッシュペーパは、おが屑内で菌と撹拌しても、乾燥しているため、なかなか消滅せず、見た目にも不潔感があった。
【００１１】
本発明は、清掃の手間を軽減し、局部洗浄機能も付加して、快適、清潔に使用でき、使用したペーパも短時間に分解できる汚物処理機能付き簡易トイレを提供することを目的とする。
【課題を解決するための手段】
【００１２】
前記課題を解決するため、本発明の洗浄機能付き簡易トイレは、座部に開口部を有する椅子本体と、前記椅子本体の開口部に設置され、便座および局部洗浄装置を有する便座ユニットと、前記椅子本体の開口部の下部に着脱可能に設けられた浄化ユニットとを備え、前記浄化ユニットは、前記便座ユニットの便座の下部に、内部に排泄物および菌床を収容する撹拌槽と、前記撹拌槽内の菌床を適温に加熱する加熱手段と、前記撹拌槽に設けられた撹拌用回転軸と、前記撹拌用回転軸を駆動するモータとを備えたものである。
本発明においては、椅子本体に既製品の局部洗浄装置付き便座ユニットと浄化ユニットを装着することで、洗浄機能付き簡易トイレが出来上がる。
浄化ユニットの加熱手段を動作させ、撹拌槽内の菌床を撹拌しながら菌の働きを活発化させる。菌床の上に落ちた排泄物や使用したペーパは即座に菌床と撹拌され、菌床に入っている菌により分解される。このとき、局部洗浄装置付き便座ユニットの局部洗浄水も菌床の上に落ちるが、この水分がペーパを湿らせるため、菌が付着しやすくなり、排泄物と一緒に分解される。加熱手段で適温に保つことにより、菌の活動を活発化するとともに、炭酸ガスと水に分解された水や洗浄水の蒸気化を促進する。
このように、菌の入った菌床で排泄物やペーパは水蒸気と炭酸ガスに分解され、消滅する。
菌床は、もみ殻やおが屑が菌によって分解されるため、年に２回程度、交換するが、交換時には、浄化ユニットを椅子本体の後部から引き出して交換作業を行う。
なお、前記便座は、暖房便座とすることができ、また、前記椅子本体の座部に設けた開口を覆う座板を着脱自在に設けることができる。
また、加熱手段は、撹拌槽内に温風を送風する温風ファンや、撹拌槽の内部に設けられたヒータで構成することができる。
さらに、撹拌槽に吸気口と排気口を設けるとともに、撹拌槽の外部に設けた循環パイプを吸気口と排気口に接続し、循環パイプに、ファンおよび消臭器を設けることができる。
【発明の効果】
【００１３】
本発明によれば、座部に開口部を有する椅子本体と、椅子本体の開口部に設置され、便座および局部洗浄装置を有する便座ユニットと、椅子本体の開口部の下部に着脱可能に設けられた浄化ユニットとを備え、浄化ユニットは、便座ユニットの便座の下部に、内部に排泄物および菌床を収容する撹拌槽と、撹拌槽内の菌床を適温に加熱する加熱手段と、撹拌槽に設けられた撹拌用回転軸と、撹拌用回転軸を駆動するモータとを備えたことにより、排泄物やペーパは使用後すぐに細菌床と共に撹拌され、菌により分解処理されるため、悪臭を抑えると共に、容器に溜まった排泄物を毎回処分、清掃する必要がなく、清潔に使用できる。
また、本発明の洗浄機能付き簡易トイレは、場所を選ばず、容易に設置でき、水洗式局部洗浄装置を有することにより、使用した際に局部も洗浄でき、快適、衛生的に使用できる。
【発明を実施するための最良の形態】
【００１４】
以下、本発明の実施の形態を、図面に基づいて説明する。
［実施の形態１］
【００１５】
図１は本実施の形態１に係る洗浄機能付き簡易トイレの構成を示す一部切欠側面図、図２は全体の斜視図、図３は座板を取り付けた状態の側面図、図４は浄化ユニットの斜視図、図５は回転軸と撹拌棒の取り付け状態を示す要部正面図である。
【００１６】
これらの図において、洗浄機能付き簡易トイレは、便器等を取り付ける枠となると共に、その上に座わることのできる椅子本体１と、椅子手すり２と、椅子背もたれ３とを有している。椅子本体１の座部には開口が設けられており、そこに、暖房便座４，調整・操作部５，洗浄ノズル６，給水タンク７，給水チューブ８および便ふた９からなる局部洗浄装置付き暖房便座ユニットＡが設置される。この局部洗浄装置付き暖房便座ユニットＡは、市販品を用いることができる。椅子本体１の前記開口と暖房便座４の外周との間には、ゴムシート帯１０が設けられて排泄物などが外部に飛散するのを防止している。
【００１７】
椅子本体１の座部前方両側には、図２および図３に示すように、不使用時に便ふた９を外して暖房便座４の上部を覆う座板２４を固定するための座板取付部２５が設けられており、通常は、家具調の椅子として使用することができるようになっている。
【００１８】
椅子本体１の座部の下方には、後方から着脱可能な浄化ユニットＢが設置される。この浄化ユニットＢは、撹拌槽１１と機械部１２とよりなり、撹拌槽１１には、軸受１３によって回転軸１４が水平に支持されている。回転軸１４には、撹拌棒１５の端部がナット２６により固定されており（図５参照）、所定ピッチで向きを変えて固定された複数本の撹拌棒１５により、撹拌槽１１内に収容された菌床１６を撹拌するようになっている。菌床１６は、もみ殻、おがくず等の部材に、排泄物等の有機物を分解する細菌を混ぜたものである。
【００１９】
機械部１２内には、回転軸１４を駆動するためのモータ１７と、撹拌槽１１内に温風を送風する温風ファン１８と、モータ１７，温風ファン１８等の作動を制御する電気制御盤１９とが設置されている。モータ１７の出力軸には駆動スプロケット２０が取り付けられ、チェーン２１を介して、回転軸１４の端部に取り付けられたスプロケット２２を駆動し、回転軸１４を回転するようになっている。機械部１２の上部と背部には、椅子本体１の後部から浄化ユニットＢを装着したときに内部を保護する機械部保護カバー２３が被せられている。
【００２０】
次に、この実施の形態１に係る洗浄機能付き簡易トイレの使用方法について説明する。
まず、使用者が、暖房便座４に座り、椅子手すり２の近傍に設けた機械部１２の電源スイッチ（図示せず）を入れると、浄化ユニットＢの撹拌槽１１内部の撹拌棒１５が菌床１６を撹拌開始する。用便後、調整・操作部５のボタンを操作することにより、給水タンク７に溜まった水が給水チューブ８から本体に供給され、適温に加熱され、洗浄ノズル６から局部に吐水され、局部が洗浄される。
なお、給水タンク７への水の補給は、随時行うものとする。
【００２１】
排泄物は、浄化ユニットＢの撹拌槽１１内部に収容された菌床１６上に落下するが、菌床１６は撹拌棒１５により絶えず混ぜられており、さらに温風ファン１８により温風が供給されるので、排泄物は菌床１６内に撹拌されるとともに、菌床１６内に適温の空気が送り込まれ、菌が活発に働く。これにより、有機物である排泄物は水と炭酸ガスに分解処理され、水は熱により水蒸気として放散される。排泄物と共に、使用したトイレットペーパも洗浄ノズル６により吐出された洗浄水により加水されるため、菌により容易に分解される。
【００２２】
その際、モータ１７は、電気制御盤１９のタイマの設定で、電源スイッチ投入後、１０分間回転した後、３０分間停止するように制御されるため、菌床１６は必要以上に傷められることなく撹拌される。菌床１６を常時、撹拌棒１５により撹拌すると、菌床の素材であるもみ殻やおが屑も菌により分解が進み、短期間で灰のようになって栄養分が無くなり、その結果、菌も死んでしまうため、３０分は停止するようにすることで、寿命を長くしている。なお、その３０分停止期間中に電源スイッチが投入されると、タイマがリセットされ、モータ１７の１０分間回転が開始される。
菌床１６は、このような使用方法を採ることで、約６ヶ月間、交換することなく、使用できる。約６ヶ月後、交換するが、使用済みの菌床１６は、堆肥として、再利用することができる。
［実施の形態２］
【００２３】
図６は、本発明の実施の形態２に係る洗浄機能付き簡易トイレの浄化ユニットＢの構成を示す斜視図、図７はその断面図である。
本実施の形態２における浄化ユニットＢは、撹拌槽１１の内壁にステンレス板３１を敷き、そのステンレス板３１と浄化ユニットＢの底部との間に、面状ヒータ３２を設けた構成としている。この面状ヒータ３２は、温度センサ付きで、菌の活動を活発にする４０〜６０℃の温度に制御される。また、過熱防止のために、例えば８０℃の温度ヒューズが設けられている。撹拌槽１１の一方の壁面上部には吸気口３３が設けられ、他方の壁面上部には排気口３４が設けられ、吸気口３３と排気口３４の間には循環パイプ３５、吸気ファン３６、消臭器３７が設けられている。その他の構成については、実施の形態１と同様であるので、説明を省略する。
【００２４】
この実施の形態２において、排泄物は、浄化ユニットＢの撹拌槽１１内部に収容された菌床１６上に落下するが、菌床１６は撹拌棒１５により絶えず混ぜられて空気が供給されており、さらに面状ヒータ３２により適温に過熱されるため、菌の活動が活発になり、有機物である排泄物は水と炭酸ガスに分解処理され、水は熱により水蒸気として放散される。排泄物と共に、使用したトイレットペーパも洗浄ノズル６により吐出された洗浄水により加水されるため、菌により容易に分解される。
【００２５】
撹拌槽１１内の空気は、吸気ファン３６により吸気口３３から吸引され、消臭器３７により脱臭され、循環パイプ３５を介して排気口３４から撹拌槽１１内に循環される。
その他の動作については、実施の形態１と同様である。
【産業上の利用可能性】
【００２６】
本発明は、洗浄機能を備えた自己完結型の汚物処理機能付き簡易トイレとして、家庭や介護施設のほか、浄化設備のない別荘、船内、キャンピングカー内に設置して健常者用にも利用することができる。
【図面の簡単な説明】
【００２７】
【図１】本発明の実施の形態１に係る洗浄機能付き簡易トイレの構成を示す一部切欠側面図である。
【図２】本実施の形態１の全体の斜視図である。
【図３】本実施の形態１の座板を取り付けた状態の側面図である。
【図４】本実施の形態１の浄化ユニットの斜視図である。
【図５】本実施の形態１の回転軸と撹拌棒の取り付け状態を示す要部正面図である。
【図６】本発明の実施の形態２に係る洗浄機能付き簡易トイレの浄化ユニットの構成を示す斜視図である。
【図７】本実施の形態２に係る浄化ユニットの断面図である。
【符号の説明】
【００２８】
Ａ  局部洗浄装置付き暖房便座ユニット
Ｂ  浄化ユニット
１  椅子本体
２  椅子手すり
３  椅子背もたれ
４  暖房便座
５  調整・操作部
６  洗浄ノズル
７  給水タンク
８  給水チューブ
９  便ふた
１０  ゴムシート帯
１１  撹拌槽
１２  機械部
１３  軸受
１４  回転軸
１５  撹拌棒
１６  菌床
１７  モータ
１８  温風ファン
１９  電気制御盤
２０  駆動スプロケット
２１  チェーン
２２  スプロケット
２３  機械部保護カバー
２４  座板
２５  座板取付部
２６  ナット
３１  ステンレス板
３２  面状ヒータ
３３  吸気口
３４  排気口
３５  循環パイプ
３６  吸気ファン
３７  消臭器
【図１】
2005324013.tif 000003
【図２】
2005324013.tif 000004
【図３】
2005324013.tif 000005
【図４】
2005324013.tif 000006
【図５】
2005324013.tif 000007
【図６】
2005324013.tif 000008
【図７】
2005324013.tif 000009